(57)【要約】【課題】  本発明は、フィット性の優れると共に、マスク装着時の不快感、息苦しさ等の苦痛の軽減が図れるガーゼマスクを提供することにある。【解決手段】  矩形のマスク本体のほぼ中央付近の鼻筋から下顎にかけて縦にノーズワイヤーを設置してなる、フィット性の優れた矩形マスクである。【選択図】  図１
2006087869.tif 000002
【特許請求の範囲】
【請求項１】
矩形のマスク本体のほぼ中央付近の鼻筋から下顎にかけて縦にノーズワイヤーを設置してなる、フィット性の優れた矩形マスク。
【請求項２】
矩形のマスク本体は多層体よりなり、ノーズワイヤーが多層体の中間部に介在させてなる、請求項１に記載のフィット性の優れた矩形マスク。
【請求項３】
ノーズワイヤーによって、ふくらみを持たせるように形成させてなる、請求項１または請求項２に記載のフィット性の優れた矩形マスク。
【発明の詳細な説明】
【技術分野】
【０００１】  本発明は、フィット性の優れた矩形マスクに関する。
【背景技術】
【０００２】  いわゆる花粉症の最も有効な予防方法はマスクの装着であるといわれている。しかし花粉症罹患患者数に比べマスクを装着している人は少なく、マスクを用いた予防意欲減退の原因は装着時における不快感、息苦しさにあると思われた。近年快適性を重視した物が多く販売されているなか、マスクにおいては形状もさることながら快適性を考慮されたものは殆どなく今日に至っている。
本発明者の調査によると、健常者２２人に対して８６．４％（１９人）の人がマスク装着時の不快感、息苦しさを感じている事が判明した。【０００３】  また、従来よりマスク上部に自由に曲げることのできる帯状やワイヤー状の、凹部のマスク上辺部のスキマを押える固定式金属基材を水平方向に内蔵して設けたマスクは知られていた（特開平３−２４４６０号、同１０−８５４９３号など）。しかし、これらはマスク上辺部のスキマをふさぐという作用は達しても、マスクの横部および下部のスキマをふさぐことができず、フィット性、密着性が不十分であり、なによりもマスク装着時の不快感、息苦しさ等の苦痛の軽減が図れないと言う欠点があった。
【特許文献１】  特開平３−２４４６０
【特許文献２】  特開平１０−８５４９３
【発明の開示】
【発明が解決しようとする課題】
【０００４】  本発明の目的は、フィット性の優れると共に、マスク装着時の不快感、息苦しさ等の苦痛の軽減が図れるガーゼマスクを提供することにある。
【課題を解決するための手段】
【０００５】  本発明者らは、口と鼻を覆うマスクのフィット性およびマスク装着時における苦痛の軽減について鋭意検討を重ねた結果、マスク本体のほぼ中央付近に縦にノーズワイヤーを設置することによって、フィット性を改善し、かつマスク装着時の不快感、息苦しさ等の苦痛の軽減し得ることを見出し、本発明に至った。
すなわち、本発明は、矩形のマスク本体のほぼ中央付近の鼻筋から下顎にかけて縦にノーズワイヤーを設置してなる、フィット性の優れた矩形マスクに関する。【０００６】  本発明におけるマスクとは、形状が長方形、正方形等のような基本的には矩形である口と鼻を覆うことができる顔面用マスクをいい、通常の方法によって製造されたものであればよい。フィルターメディアには粉塵、花粉、ミストあるいは悪臭や化学物質を捕集するもの、バクテリアなどを吸着殺菌するものなどが使用される。また、エレクトレット加工されたメルトブローン不織布や活性炭が担持されたシートなどを挙げることが出来る。これらのフィルターメディアは最も単純で安価であるガーゼのみから構成されているガーゼマスクが使用される。【０００７】  なお、ガーゼの他、編織布、不織布あるいは紙などで覆われて縫製あるいは熱接着によりマスクに仕上げられたものであっても差し支えない。本発明のマスクは正方形、または長方形をしているが、四角（よすみ）が縁どりされているような形状をしていてもよい。【０００８】  マスク本体のほぼ中央付近に設置されるノーズワイヤーは、鉄、アルミニウム等の金属製またはポリエチレンモノフィラメントなどのプラスチックス製または金属製ワイヤーをプラスチックによって被膜されたものなどであればよく、とくに柔軟性と形状記憶性を有する物質であればさらに好ましい。ノーズワイヤーは、その基材から厚さ０．０５〜２ｍｍ、巾０．１〜１０ｍｍ、長さ３０〜１００ｍｍ程度とする。【０００９】  本発明においては、当該ノーズワイヤーの設置位置がとくに重要であり、それは、マスク本体のほぼ中央付近の鼻筋から下顎にかけて縦に設置することであって、それによって上記した本発明の目的を達成することができる。【００１０】  本発明における矩形のマスク本体は多層体よりなり、ノーズワイヤーは多層体の中間部に介在させてなるものであることが好ましい。さらに好ましくは、ノーズワイヤーを顔面の最も近い層で、顔面に直接接触しないように装着するのが望ましい。【００１１】  なお、予めノーズワイヤー片を別途用意し、通常のガーゼマスク等の中間部等に当該ノーズワイヤー片を接着剤や両面接着テープ等により付着せしめるようにしたものであってもよい。【００１２】  本発明のマスクは、矩形のマスク本体のほぼ中央付近の鼻筋から下顎にかけて縦にノーズワイヤーを設置してなるものであるので、使用者が適宜該ノーズワイヤーにふくらみを持たせるように形成させることにより、鼻穴、唇周辺に空間を生じ、マスク装着時の不快感、息苦しさ等の苦痛の軽減が図れると共に口紅等がマスク本体に付着せずにすむという利点が生ずることができる。【００１３】  本発明のマスクを図面により具体的に説明すると、図１は、本発明における代表的実施態様に係るマスクの平面図である。すなわち、本発明のマスクは、マスク本体１のほぼ中央付近の鼻筋から下顎にかけて縦にノーズワイヤー２を設置したマスクである。図１にはマスクを顔面に密着させる耳かけ３が示されている。
【発明の効果】
【００１４】  このように、本発明において、矩形のマスク本体のほぼ中央付近の鼻筋から下顎にかけて縦にノーズワイヤーを設置してなるものであることから、格段にフィット性の優れると共に、マスク装着時の不快感、息苦しさ等の苦痛の軽減が図れるガーゼマスクを提供することができる。【００１５】  以下図面を参照しつつ本発明の実施例を説明するが、本発明はこれらに限定
されるものではない。
【実施例１】
【００１６】  図１のように、４層（１６枚）のガーゼよりなるマスク１（縦９５ｍｍ、横１３５ｍｍ、中央厚さ３．５ｍｍ、全重量１０．３ｇ）のほぼ中央付近の鼻筋から下顎に相当する部分に縦にノーズワイヤー２を設置した。ノーズワイヤーは直径１ｍｍの鉄線をポリエチレンシート（巾４ｍｍ）で被覆したものを用いた。ノーズワイヤーの長さは１２ｃｍである。このノーズワイヤーを４層のガーゼの第１層と第２層の間の所定の箇所に両面接着テープにて接着した。【００１７】  このようにして作成されたノーズワイヤー設置マスクを２５名の対象者に、第１層が顔面側にくるように着用してもらい、それぞれ鼻の高さ、不快さ息苦しさ等の程度に応じてふくらみを持たせるように形状を調整して使用した。【００１８】  本発明のガーゼマスク装着時の使用感は次のとおりであった。すなわち、装着後、不快感、息苦しさは１００％の改善率であった。本発明のガーゼマスクは、市販のノーズワイヤーを設置しないガーゼマスク（比較例）に比べ、間隙を作る事により不快感が軽減し会話も楽であり、また何より形状を個人の鼻の高さに合わせ、密着具合を自由に変えられることが良いとの意見が得られた。さらに花粉症治療者においては不快感、息苦しさの改善から症状発症の予防として積極的に使用するとの意見も得ることができた。長さは１２ｃｍである。
【図面の簡単な説明】
【００１９】
【図１】  本発明における代表的実施態様に係るマスクの平面図である。
【符号の説明】
【００２０】１    マスク
２    ノーズワイヤー
３    耳かけ
【図１】
2006087869.tif 000003